(57)【要約】【課題】  電気機器を電気料金単価の安い時間帯に使用する方向へユーザの習慣を改善させることができる省電力支援コントローラ、および省電力支援システムを提供する。【解決手段】  省電力支援コントローラ２は、電力計測ユニット１からの使用電力データを受信する無線通信部２ａと、受信した使用電力の履歴を格納する電力履歴記憶部２ｃと、料金単価情報を取得する料金単価取得部２ｄと、１時間当たりの使用電力量の閾値を設定する閾値設定部２ｅと、使用電力の履歴に基づいて導出した１時間当たりの使用電力量の時間変化を料金単価情報と同一画面に表示する画像データを生成して表示器３へ出力する画像生成部２ｆと、使用電力量の時間変化と料金単価情報とに基づいて、他の時間帯に比べて電気料金が高い時間帯に使用電力量が閾値を超えた超過使用状態の発生を検知した場合、この超過使用状態の発生を報知器３に報知させる使用状態監視部２ｇとを備える。【選択図】図１
2012014651.tif 000002
【特許請求の範囲】
【請求項１】
計測対象の使用電力の情報を取得する電力情報取得部と、
時間帯毎の電気料金の単価を示す料金単価情報を取得する料金単価取得部と、
単位期間当たりの使用電力量の閾値を設定する閾値設定部と、
計測対象の使用電力の情報に基づいて導出した単位期間当たりの使用電力量の時間変化を料金単価情報と同一画面に表示する画像データを生成して表示部へ出力する画像生成部と、
前記使用電力量の時間変化と料金単価情報とに基づいて、他の時間帯に比べて電気料金が高い時間帯に前記使用電力量が前記閾値を超えた超過使用状態の発生を検知した場合、この超過使用状態の発生を報知部に報知させる使用状態監視部と
を備えることを特徴とする省電力支援コントローラ。
【請求項２】
前記計測対象の使用電力の情報に基づいて将来の単位期間当たりの使用電力量の時間変化を推定する電力推定部を備え、
前記料金単価取得部は将来の料金単価情報を取得し、
前記画像生成部は、前記推定した単位期間当たりの使用電力量の時間変化を将来の料金単価情報と同一画面に表示する画像データを生成して前記表示部へ出力し、
前記使用状態監視部は、前記推定した使用電力量の時間変化と将来の料金単価情報とに基づいて、他の時間帯に比べて電気料金が高い将来の時間帯に、前記推定した使用電力量が前記閾値を超える超過使用状態の発生を検知した場合、この超過使用状態の発生を報知部に報知させる
ことを特徴とする請求項１記載の省電力支援コントローラ。
【請求項３】
前記閾値設定部は、電気料金の単価が所定値である時間帯における前記単位期間当たりの使用電力量の平均値に所定値を加算した結果を前記閾値に設定することを特徴とする請求項１または２記載の省電力支援コントローラ。
【請求項４】
前記閾値設定部は、他の時間帯に比べて電気料金の単価が高い時間帯における前記単位期間当たりの使用電力量の平均値に所定値を加算した結果を前記閾値に設定することを特徴とする請求項３記載の省電力支援コントローラ。
【請求項５】
前記閾値設定部は、他の時間帯に比べて電気料金の単価が安い時間帯における前記単位期間当たりの使用電力量の平均値に所定値を加算した結果を前記閾値に設定することを特徴とする請求項３記載の省電力支援コントローラ。
【請求項６】
前記報知部が一定期間に前記超過使用状態の発生を報知した回数が所定回数未満になった場合、前記閾値設定部は、他の時間帯に比べて電気料金の単価が安い時間帯における前記単位期間当たりの使用電力量の平均値に所定値を加算した結果を前記閾値に設定する
ことを特徴とする請求項３記載の省電力支援コントローラ。
【請求項７】
前記使用状態監視部は、前日に前記超過使用状態の発生を検知した場合、当日において、前日に前記超過使用状態が発生した時刻と同一時刻の一定時間前に前記超過使用状態の発生を前記報知部に報知させることを特徴とする請求項１乃至６いずれか記載の省電力支援コントローラ。
【請求項８】
前記使用状態監視部は、前記超過使用状態の発生を検知した場合、他の時間帯に比べて電気料金の単価が安い時間帯の一定時間前に前記超過使用状態の発生を前記報知部に報知させることを特徴とする請求項１乃至６いずれか記載の省電力支援コントローラ。
【請求項９】
計測対象の使用電力を計測する電力計測部と、画像データを表示する表示部と、報知動作を行う報知部と、請求項１乃至８いずれか記載の省電力支援コントローラとを備えることを特徴とする省電力支援システム。
【発明の詳細な説明】
【技術分野】
【０００１】
本発明は、省電力支援コントローラ、および省電力支援システムに関するものである。
【背景技術】
【０００２】
従来、各住戸における電気使用量の履歴を管理し、各種の電気使用量の情報を表示するシステムがある（例えば、特許文献１参照）。
【先行技術文献】
【特許文献】
【０００３】
【特許文献１】特開２００９−１３０９８４号公報
【発明の概要】
【発明が解決しようとする課題】
【０００４】
一般に、電気料金の単価は、時間帯によって変動し、夜間時間帯（例えば２３時〜７時）の電気料金単価は、昼間時間帯（例えば７時〜２３時）の電気料金単価に比べて安く設定されている。
【０００５】
さらに、平日をリビングタイム（例えば７時〜１０時、１７時〜２３時）、デイタイム（例えば１０時〜１７時）、ナイトタイム（例えば２３時〜７時）に分ける料金単価設定もある。この場合、各時間帯における電気料金単価は、最も高いデイタイム、中間のリビングタイム、最も安いナイトタイムとなる。
【０００６】
したがって、給湯器、洗濯機、調理器等の電気機器を電気料金単価の高い時間帯で使用するより、電気料金単価の安い時間帯で使用するほうが、電気料金を抑えることができ、ユーザにとって経済的である。また、電力会社は、電力負荷の平準化を図ることができる。すなわち、電気機器を電気料金単価の安い時間帯で使用することによって、ユーザ、電力会社ともにメリットがある。
【０００７】
しかしながら、ユーザによる電気機器の使用形態は習慣化する傾向にあり、特定の電気機器を電気料金単価の高い時間帯で使用する習慣が一旦定着すると、電気料金単価の安い時間帯で使用する方向へ変えることは困難であった。
【０００８】
従来のシステムは、主幹電力、分岐電力等の各電気使用量をユーザに表示する機能は備えるものの、電気機器を電気料金単価の安い時間帯に使用する方向へユーザの習慣を改善させることは考慮してなかった。
【０００９】
本発明は、上記事由に鑑みてなされたものであり、その目的は、電気機器を電気料金単価の安い時間帯に使用する方向へユーザの習慣を改善させることができる省電力支援コントローラ、および省電力支援システムを提供することにある。
【課題を解決するための手段】
【００１０】
本発明の省電力支援コントローラは、計測対象の使用電力の情報を取得する電力情報取得部と、時間帯毎の電気料金の単価を示す料金単価情報を取得する料金単価取得部と、単位期間当たりの使用電力量の閾値を設定する閾値設定部と、計測対象の使用電力の情報に基づいて導出した単位期間当たりの使用電力量の時間変化を料金単価情報と同一画面に表示する画像データを生成して表示部へ出力する画像生成部と、前記使用電力量の時間変化と料金単価情報とに基づいて、他の時間帯に比べて電気料金が高い時間帯に前記使用電力量が前記閾値を超えた超過使用状態の発生を検知した場合、この超過使用状態の発生を報知部に報知させる使用状態監視部とを備えることを特徴とする。
【００１１】
この発明において、前記計測対象の使用電力の情報に基づいて将来の単位期間当たりの使用電力量の時間変化を推定する電力推定部を備え、前記料金単価取得部は将来の料金単価情報を取得し、前記画像生成部は、前記推定した単位期間当たりの使用電力量の時間変化を将来の料金単価情報と同一画面に表示する画像データを生成して前記表示部へ出力し、前記使用状態監視部は、前記推定した使用電力量の時間変化と将来の料金単価情報とに基づいて、他の時間帯に比べて電気料金が高い将来の時間帯に、前記推定した使用電力量が前記閾値を超える超過使用状態の発生を検知した場合、この超過使用状態の発生を報知部に報知させることが望ましい。
【００１２】
この発明において、前記閾値設定部は、電気料金の単価が所定値である時間帯における前記単位期間当たりの使用電力量の平均値に所定値を加算した結果を前記閾値に設定することが望ましい。
【００１３】
この発明において、前記閾値設定部は、他の時間帯に比べて電気料金の単価が高い時間帯における前記単位期間当たりの使用電力量の平均値に所定値を加算した結果を前記閾値に設定することが望ましい。
【００１４】
この発明において、前記閾値設定部は、他の時間帯に比べて電気料金の単価が安い時間帯における前記単位期間当たりの使用電力量の平均値に所定値を加算した結果を前記閾値に設定することが望ましい。
【００１５】
この発明において、前記報知部が一定期間に前記超過使用状態の発生を報知した回数が所定回数未満になった場合、前記閾値設定部は、他の時間帯に比べて電気料金の単価が安い時間帯における前記単位期間当たりの使用電力量の平均値に所定値を加算した結果を前記閾値に設定することが望ましい。
【００１６】
この発明において、前記使用状態監視部は、前日に前記超過使用状態の発生を検知した場合、当日において、前日に前記超過使用状態が発生した時刻と同一時刻の一定時間前に前記超過使用状態の発生を前記報知部に報知させることが望ましい。
【００１７】
この発明において、前記使用状態監視部は、前記超過使用状態の発生を検知した場合、他の時間帯に比べて電気料金の単価が安い時間帯の一定時間前に前記超過使用状態の発生を前記報知部に報知させることが望ましい。
【００１８】
本発明の省電力支援システムは、計測対象の使用電力を計測する電力計測部と、画像データを表示する表示部と、報知動作を行う報知部と、本発明の省電力支援コントローラとを備えることを特徴とする。
【発明の効果】
【００１９】
以上説明したように、本発明では、電気機器を電気料金単価の安い時間帯に使用する方向へユーザの習慣を改善させることができるという効果がある。
【図面の簡単な説明】
【００２０】
【図１】実施形態１の省電力支援コントローラ、および省電力支援システムの構成を示すブロック図である。
【図２】同上の料金単価情報を示す図である。
【図３】（ａ）（ｂ）同上の使用状況画面を示す概略図である。
【図４】（ａ）（ｂ）同上の監視画面を示す概略図である。
【図５】（ａ）（ｂ）同上の別の監視画面を示す概略図である。
【図６】（ａ）（ｂ）同上の別の監視画面を示す概略図である。
【図７】実施形態２の省電力支援コントローラの構成を示すブロック図である。
【図８】（ａ）（ｂ）同上の予測画面を示す概略図である。
【発明を実施するための形態】
【００２１】
以下、本発明の実施の形態を図面に基づいて説明する。
【００２２】
（実施形態１）
図１は、本実施形態の省電力支援コントローラを用いた省電力支援システムの構成を示し、電力計測ユニット１と、省電力支援コントローラ２（以降、コントローラ２と称す）と、表示器３（表示部）とが、ユーザが居住する住宅内に設けられている。
【００２３】
住宅内には分電盤４が設置され、分電盤４には、外部から住宅に供給される商用電源ＡＣを一次側に受ける主幹ブレーカ４ａと、主幹ブレーカ４ａの二次側から分岐した電路にそれぞれ介挿される複数の分岐ブレーカ４ｂとが収納されている。分岐ブレーカ４ｂが介挿された各分岐電路は、給湯器、洗濯機、調理器、空調機等の電気機器Ｘに接続される。
【００２４】
そして、電力計測ユニット１は、分電盤４内に配置され、主幹ブレーカ４ａおよび分岐ブレーカ４ｂを介して供給される電力を計測することで、この住宅の使用電力（主幹電力）、各電気機器Ｘの使用電力（分岐電力）を計測している。電力計測ユニット１が計測した主幹電力および分岐電力の使用電力データは、無線でコントローラ２へ定期的に送信される。
【００２５】
コントローラ２は、無線通信部２ａと、ネットワーク通信部２ｂと、電力履歴記憶部２ｃと、料金単価取得部２ｄと、閾値設定部２ｅと、画像生成部２ｆと、使用状態監視部２ｇとを備える。
【００２６】
無線通信部２ａは、電力計測ユニット１、表示器３との間で無線通信を行う。上記電力計測ユニット１から送信された使用電力データも、無線通信部２ａによって受信され、電力履歴記憶部２ｃに格納される。無線通信部２ａは、本発明の電力情報取得部に相当する。
【００２７】
ネットワーク通信部２ｂは、ルータ５を介してインターネットＮＴに接続しており、宅外に設置された電力会社のセンタサーバＳＶとの間でネットワーク通信を行う。
【００２８】
電力履歴記憶部２ｃは、無線通信部２ａが電力計測ユニット１から受信した使用電力データを、主幹電力および分岐電力の履歴として格納する。
【００２９】
料金単価取得部２ｄは、ネットワーク通信部２ｂを介して、電力会社のセンタサーバＳＶから、当該住宅が契約している料金単価の情報（料金単価情報）を取得する。この料金単価情報は、時間帯毎の電気料金の単価を示しており、図２に示すように、夜間時間帯Ｔ２（例えば２３時〜７時）の電気料金単価は、昼間時間帯Ｔ１（例えば７時〜２３時）の電気料金単価に比べて安く設定されている。
【００３０】
閾値設定部２ｅは、１時間単位の主幹電力量および分岐電力量の各閾値を設定する機能を有し、この閾値は、主幹電力量および分岐電力量の目標上限値を表し、後述の使用状態監視部２ｇの監視動作に用いられる。
【００３１】
画像生成部２ｆは、使用電力（主幹電力または分岐電力）の履歴に基づいて、単位期間（１時間）当たりの使用電力量の時間変化を導出する。そして、この導出した１時間当たりの使用電力量の時間変化を料金単価情報と同一画面に表示する使用状況画面Ｇ１の画像データを生成する。図３（ａ）（ｂ）は、使用状況画面Ｇ１の構成例であり、横軸に時刻を示し、縦軸に１時間毎の使用電力量を示す棒グラフで表示しており、さらに横軸には昼間時間帯Ｔ１と夜間時間帯Ｔ２との各領域が表示されている。したがって、各時刻が昼間時間帯Ｔ１と夜間時間帯Ｔ２とのいずれに属しているか識別可能であり、昼間時間帯Ｔ１における電力使用状況、夜間時間帯Ｔ２における電力使用状況を把握することができる。この使用状況画面Ｇ１には、主幹電力の使用状況を示す主幹状況画面Ｇ１ａ（図３（ａ））、電気機器Ｘ毎（分岐電路毎）の分岐電力の使用状況を示す分岐状況画面Ｇ１ｂ（図３（ｂ））があり、分岐状況画面Ｇ１ｂは、状況確認対象の電気機器Ｘ毎に作成される。この使用状況画面Ｇ１（Ｇ１ａ，Ｇ１ｂ）の画像データは、無線通信部２ａを介して、表示器３へ送信される。
【００３２】
表示器３は、画像生成部２ｆから受信した画像データに基づいて、使用状況画面Ｇ１を画面に表示する。ユーザは、使用状況画面Ｇ１を見て、昼間時間帯Ｔ１と夜間時間帯Ｔ２との各々における電力使用状況を把握できる。例えば、主幹電力の使用状況を示す主幹状況画面Ｇ１ａを見ることで、電気料金単価の高い昼間時間帯Ｔ１に住宅全体で使用している電力を把握できる。また、分岐電力の使用状況を示す分岐状況画面Ｇ１ｂを見ることで、電気料金単価の高い昼間時間帯Ｔ１に使用している電力を電気機器Ｘ毎に把握できる。
【００３３】
表示器３が使用状況画面Ｇ１を表示するタイミングは、ユーザが表示器３を操作し、コントローラ２から所望の使用状況画面Ｇ１を取得して表示する場合や、予め決められた時刻に表示器３がコントローラ２から所望の使用状況画面Ｇ１を自動で取得して表示する場合がある。
【００３４】
次に、使用状態監視部２ｇは、電気料金単価の高い昼間時間帯Ｔ１に電力を使い過ぎた超過使用状態の発生を検知する機能を有する。具体的には、昼間時間帯Ｔ１における１時間毎の使用電力量が、閾値設定部２ｅによって設定された１時間単位の閾値を超えた場合に超過使用状態であると判定する。
【００３５】
超過使用状態を検知した使用状態監視部２ｇは、画像生成部２ｆに監視画面Ｇ２を作成させる。図４（ａ）（ｂ）は、監視画面Ｇ２の構成例を示し、使用状況画面Ｇ１（図３参照）に閾値Ｋの情報を付加し、昼間時間帯Ｔ１において閾値Ｋを超えた電力量のバーＢ１を他のバーとは色を変えて表示する（図４ではドットで表示している）。この監視画面Ｇ２には、主幹電力の監視結果を示す主幹監視画面Ｇ２ａ（図４（ａ））、電気機器Ｘ毎（分岐電路毎）の分岐電力の監視結果を示す分岐監視画面Ｇ２ｂ（図４（ｂ））があり、分岐監視画面Ｇ２ｂは、監視対象となる電気機器Ｘ毎に作成される。なお、主幹電力に対する閾値をＫａ、分岐電力に対する閾値をＫｂと表す。
【００３６】
そして、監視画面Ｇ２の作成タイミングは、以下のいずれかに設定される。
【００３７】
第１の作成タイミングは、昼間時間帯Ｔ１に現在の電力量が閾値Ｋを超えて、超過使用状態の発生を検知する度に、監視画面Ｇ２を作成する。
【００３８】
第２の作成タイミングは、前日の昼間時間帯Ｔ１に超過使用状態の発生を検知した場合、当日において、前日に超過使用状態が発生した時刻と同一時刻の一定時間前（例えば１時間前）に、監視画面Ｇ２を作成する。
【００３９】
第３の作成タイミングは、昼間時間帯Ｔ１に電力量が閾値Ｋを超えた場合、次の夜間時間帯Ｔ２の開始時刻の一定時間前（例えば１時間前）に、監視画面Ｇ２を作成する。
【００４０】
そして、上記各タイミングで生成された監視画面Ｇ２（Ｇ２ａ，Ｇ２ｂ）の画像データは、無線通信部２ａを介して表示器３へ送信される。表示器３は、画像生成部２ｆから受信した画像データに基づいて、監視画面Ｇ２を画面に表示する。ユーザは、監視画面Ｇ２を見ることによって、昼間時間帯Ｔ１において超過使用状態が発生したことを提示される。
【００４１】
上記第１の作成タイミングでは、超過使用状態の発生を検知する度に、表示器３に監視画面Ｇ２が表示され、ユーザは、超過使用状態の発生をリアルタイムで提示される。したがって、ユーザにとっては、現在使用している電気機器Ｘの使用時間帯を電気料金単価の安い夜間時間帯Ｔ２にずらすことを促され、電気機器Ｘの使用形態を改善する機会となる。このときの主幹監視画面Ｇ２ａを図４（ａ）に示し、分岐監視画面Ｇ２ｂを図４（ｂ）に示し、現在時刻ｔｎを▲で示す。
【００４２】
上記第２の作成タイミングでは、前日に超過使用状態が発生した時刻と同一時刻の一定時間前に、前日から当日に亘る監視画面Ｇ２が表示器３に表示され、ユーザは、超過使用状態が発生する可能性の高い時刻が近付いたときに、超過使用状態の発生を予め提示される。このとき、監視画面Ｇ２には、前日に超過使用状態が発生した時刻と同一時刻に、閾値Ｋを超えた電力量のバーＢ２が表示される。したがって、ユーザにとっては、今から使用する予定の電気機器Ｘの使用時間帯を電気料金単価の安い夜間時間帯Ｔ２にずらすことを促され、電気機器Ｘの使用形態を改善する機会となる。このときの主幹監視画面Ｇ２ａを図５（ａ）に示し、分岐監視画面Ｇ２ｂを図５（ｂ）に示し、現在時刻ｔｎを▲で示す。
【００４３】
上記第３の作成タイミングでは、昼間時間帯Ｔ１に電力量が閾値Ｋを超えた場合、次の夜間時間帯Ｔ２の開始時刻の一定時間前に、表示器３に監視画面Ｇ２が表示される。すなわち、ユーザは、電気料金単価の安い夜間時間帯Ｔ２が近付いたときに、超過使用状態の発生を提示される。したがって、ユーザにとっては、昼間時間帯Ｔ１に使用していた電気機器Ｘの使用時間帯を、今から始まる夜間時間帯Ｔ２にずらすことを促され、電気機器Ｘの使用形態を改善する機会となる。このときの主幹監視画面Ｇ２ａを図６（ａ）に示し、分岐監視画面Ｇ２ｂを図６（ｂ）に示し、現在時刻ｔｎを▲で示す。
【００４４】
このような監視画面Ｇ２を見て、電気料金単価の高い昼間時間帯Ｔ１に電力を使い過ぎていることを提示されたユーザは、電気料金単価の安い夜間時間帯Ｔ２に電気機器Ｘを使用する方向へ習慣を改善する意識を提起される。その結果、例えば、洗濯機の使用時刻を、夜間時間帯Ｔ２内の早朝（例えば、６時）にずらすことで、電気料金を抑えることができ、ユーザにとって経済的になる。また、電力会社は、電力負荷の平準化を図ることができる。
【００４５】
次に、閾値設定部２ｅによる閾値Ｋの設定方法について説明する。
【００４６】
まず、第１の閾値設定方法では、閾値設定部２ｅは、電力履歴記憶部２ｃを参照し、所定期間（例えば、過去１週間）において電気料金単価の高い昼間時間帯Ｔ１に使用した１時間毎の使用電力量（主幹電力量および分岐電力量）を算出する。そして、この所定期間における１時間毎の使用電力量の平均値を算出し、この平均値に一定値を加算した結果を閾値Ｋ（Ｋａ，Ｋｂ）に設定する。第１の閾値設定方法による閾値Ｋは、比較的高い値に設定され、ユーザによる電気機器Ｘの使用形態として、電気料金単価の高い昼間時間帯Ｔ１で使用することが習慣化している場合に適している。また、上記平均値に一定値を加算することで、通常より使用電力量が突出して多い状態のみを超過使用状態として検出し、超過使用状態の頻繁な検出を抑制している。
【００４７】
次に、第２の閾値設定方法では、閾値設定部２ｅは、電力履歴記憶部２ｃを参照し、所定期間（例えば、過去１週間）において電気料金単価の安い夜間時間帯Ｔ２に使用した１時間毎の使用電力量（主幹電力量および分岐電力量）を算出する。そして、この所定期間における１時間毎の使用電力量の平均値を算出し、この平均値に一定値を加算した結果を閾値Ｋ（Ｋａ，Ｋｂ）に設定する。第２の閾値設定方法による閾値Ｋは、比較的低い値に設定され、ユーザによる電気機器Ｘの使用形態として、電気料金単価の安い夜間時間帯Ｔ２で使用する方向へ改善された場合に適している。また、上記平均値に一定値を加算することで、通常より使用電力量が突出して多い状態のみを超過使用状態として検出し、超過使用状態の頻繁な検出を抑制している。
【００４８】
次に、第３の閾値設定方法は、上記第１，第２の閾値設定方法を組み合わせたものである。具体的には、本システムを設置した直後は、ユーザによる電気機器Ｘの使用形態として、電気料金単価の高い昼間時間帯Ｔ１で使用することが習慣化している。そこで、上記第１の閾値設定方法による比較的高い閾値Ｋを設定する。そして、ユーザによる電気機器Ｘの使用形態として、電気料金単価の安い夜間時間帯Ｔ２で使用する方向へ改善されると、超過使用状態の検知回数が減少する。超過使用状態の検知回数が所定回数以下にまで減少すると、ユーザによる電気機器Ｘの使用形態が、電気料金単価の安い夜間時間帯Ｔ２で使用する方向へ改善されたとして、上記第２の閾値設定方法による比較的低い閾値Ｋに切り替える。したがって、ユーザによる電気機器Ｘの使用形態に合わせて閾値Ｋを設定でき、超過使用状態の頻繁な検出や、超過使用状態の検出不能を抑制できる。
【００４９】
（実施形態２）
図７は、本実施形態の省電力支援コントローラ２（以降、コントローラ２と称す）の構成を示し、電力推定部２ｈを備えることによって、将来の使用電力量（主幹電力量および分岐電力量）を推定して、将来の超過使用状態の発生をユーザに提示するものである。なお、実施形態１と同様の構成には同一の符号を付して説明は省略する。
【００５０】
まず、電力会社のセンタサーバＳＶには、料金単価情報がダウンロード可能に格納されており、この料金単価情報は、同一住宅、同一契約であっても所定タイミングに更新される。これは、平日および週末の各料金単価が互いに異なる料金体系や、日毎に料金単価が異なる料金体系等による。センタサーバＳＶには、過去〜本日までの料金単価情報だけでなく、将来（例えば明日まで、または１週間後まで）の料金単価情報もダウンロード可能に格納されている。
【００５１】
料金単価取得部２ｄは、毎日の定時刻に翌日の料金単価情報を、センタサーバＳＶからネットワーク通信部２ｂを介して取得する。
【００５２】
電力推定部２ｈは、電力履歴記憶部２ｃに格納している主幹電力および分岐電力の履歴に基づいて、翌日の使用電力量（主幹電力量および分岐電力量）を推定する。例えば、過去１週間における各時刻（１時間単位）の使用電力量の平均値を、翌日の各時刻（１時間単位）の使用電力量として推定する。または、過去１週間を平日と休日とに区別し、平日または休日における各時刻（１時間単位）の使用電力量の平均値を、明日（平日または休日）の各時刻（１時間単位）の使用電力量として推定する。または、過去１ヶ月の同一曜日における各時刻（１時間単位）の使用電力量の平均値を、翌日の各時刻（１時間単位）の使用電力量として推定する。または、前年の同一月日における各時刻（１時間単位）の使用電力量を、翌日の各時刻（１時間単位）の使用電力量として推定する。さらに、使用電力量の推定処理は、季節、気温、天候等の他の要素を考慮して行ってもよい。
【００５３】
使用状態監視部２ｇは、翌日の料金単価情報と翌日の使用電力量の推定結果とを用いて、翌日における電気料金単価の高い昼間時間帯Ｔ１に電力を使い過ぎる超過使用状態の発生を予め検知する機能を有する。具体的には、翌日の昼間時間帯Ｔ１における１時間毎の使用電力量が、閾値設定部２ｅによって設定された閾値Ｋを超えた場合に超過使用状態が発生する虞があると判定する。
【００５４】
翌日の超過使用状態を検知した使用状態監視部２ｇは、画像生成部２ｆに予測画面Ｇ３を作成させる。図８（ａ）（ｂ）は、予測画面Ｇ３の構成例を示し、翌日の昼間時間帯Ｔ１において閾値Ｋを超えると推定された電力量のバーＢ３を他のバーとは色を変えて表示する（図８ではドットで表示している）。この予測画面Ｇ３には、主幹電力の推定結果を示す主幹予測画面Ｇ３ａ（図８（ａ）参照）、電気機器Ｘ毎（分岐電路毎）の分岐電力の推定結果を示す分岐予測画面Ｇ３ｂ（図８（ｂ）参照）があり、分岐予測画面Ｇ３ｂは、監視対象となる電気機器Ｘ毎に作成される。
【００５５】
この予測画面Ｇ３は、予測対象日の前日に作成される。そして、表示器３が予測画面Ｇ３を表示するタイミングは、前日においてユーザが表示器３を操作した場合に、コントローラ２から翌日の所望の予測画面Ｇ３を取得して表示することができる。また、表示器３が、前日の予め決められた時刻に、コントローラ２から翌日の所望の予測画面Ｇ３を自動で取得して表示してもよい。さらに、表示器３が予測対象日に予測画面Ｇ３を表示する場合、現在時刻までに実際に使用した電力量を推定結果とともに表示してもよい。
【００５６】
このような予測画面Ｇ３を見て、電気料金単価の高い翌日の昼間時間帯Ｔ１に電力を使い過ぎる虞があることを提示されたユーザは、電気機器Ｘの翌日の使用形態（使用時刻、使用頻度等）を予め計画できる。したがって、電気料金単価の安い夜間時間帯Ｔ２に電気機器Ｘを使用する方向へ習慣を改善する意識を一層提起される。
【符号の説明】
【００５７】
１  電力計測ユニット
２  省電力支援コントローラ
２ａ  無線通信部
２ｂ  ネットワーク通信部
２ｃ  電力履歴記憶部
２ｄ  料金単価取得部
２ｅ  閾値設定部
２ｆ  画像生成部
２ｇ  使用状態監視部
３  表示器
【図１】
2012014651.tif 000003
【図２】
2012014651.tif 000004
【図３】
2012014651.tif 000005
【図４】
2012014651.tif 000006
【図５】
2012014651.tif 000007
【図６】
2012014651.tif 000008
【図７】
2012014651.tif 000009
【図８】
2012014651.tif 000010